(57)【要約】【課題】不純ガスの排気及び放電ガスの封入時、流動抵抗が減少して製品の生産収率及びディスプレイの品質が向上し、発光効率が改善され、蛍光体の劣化が防止されるプラズマディスプレイパネルを提供する。【解決手段】上側基板、上側基板に対して平行に配置された下側基板、上側基板と下側基板との間に配置されて、上側基板と共に複数個の放電セルを限定する上側隔壁、放電セル内で放電を起す放電電極、上側隔壁と下側基板との間で一列の放電セルに沿って形成されたものであって、放電セルを相互連通させる複数の流動通路を区画する下側隔壁、下側隔壁と同一なレベルに塗布された蛍光体、及び放電セル内に充填された放電ガスを備えるプラズマディスプレイパネルである。【選択図】図２
2006134874.tif 000002
【特許請求の範囲】
【請求項１】
上側基板と、
前記上側基板と対向するように配置された下側基板と、
前記上側基板と前記下側基板との間に配置されて、前記上側基板と共に複数個の放電セルを限定する上側隔壁と、
前記放電セル内で放電を起す放電電極と、
前記上側隔壁と前記下側基板との間で一列の前記放電セルに沿って形成されたものであって、前記放電セルを相互連通させる複数の流動通路を区画する下側隔壁と、
前記下側隔壁と同一なレベルに塗布された蛍光体と、
前記放電セル内に充填された放電ガスと、を備えることを特徴とするプラズマディスプレイパネル。
【請求項２】
前記上側隔壁は、互いに交差する二つの方向に沿って延びたマトリックスパターンに形成され、前記下側隔壁は、前記二つの方向のうちいずれか一つの方向に沿って延びたストライプパターンに形成されたことを特徴とする請求項１に記載のプラズマディスプレイパネル。
【請求項３】
前記上側隔壁には、前記放電セルを取り囲むように、上下に離隔された上側放電電極及び下側放電電極が配置されることを特徴とする請求項１に記載のプラズマディスプレイパネル。
【請求項４】
前記上側放電電極及び前記下側放電電極は、一方向に配列された前記放電セルを取り囲みつつ互いに平行に延び、
前記上側放電電極及び前記下側放電電極と交差する他の方向に配列された前記放電セルにわたっては、アドレス電極が延びることを特徴とする請求項３に記載のプラズマディスプレイパネル。
【請求項５】
前記アドレス電極は、前記下側基板と前記蛍光体との間に配置され、前記蛍光体と前記アドレス電極との間には、誘電体層が配置されたことを特徴とする請求項４に記載のプラズマディスプレイパネル。
【請求項６】
前記下側隔壁は、前記アドレス電極の延長方向に沿って形成されたことを特徴とする請求項４に記載のプラズマディスプレイパネル。
【請求項７】
前記下側隔壁は、前記アドレス電極の延長方向と実質的に垂直をなす方向に沿って形成されたことを特徴とする請求項４に記載のプラズマディスプレイパネル。
【請求項８】
前記上側隔壁の側面は、保護膜により覆われることを特徴とする請求項１に記載のプラズマディスプレイパネル。
【発明の詳細な説明】
【技術分野】
【０００１】
本発明は、ガス放電を利用して画像を具現するプラズマディスプレイパネル（ＰＤＰ）に関する。
【背景技術】
【０００２】
平板ディスプレイ装置としてＰＤＰを採用した装置は、大画面を有しつつも、高画質、超薄型、軽量及び広視野角の優秀な特性を有しており、他の平板ディスプレイ装置に比べて、製造方法が簡単であり、大型化が容易であるので、次世代の大型平板ディスプレイ装置として注目されている。
【０００３】
このようなＰＤＰは、印加される放電電圧によって、直流（ＤＣ）型、交流（ＡＣ）型及び混合型に分類され、放電構造によって、対向放電型及び面放電型に分類される。最近、国内外で生産されているほとんどのＰＤＰは、３電極面放電型のＰＤＰである。
【０００４】
図１には、従来の３電極面放電型のＰＤＰの一例が示されている。図示したＰＤＰには、上側基板１１、及びそれに対向するように配置された下側基板２１が備えられている。上側基板１１の下面には、放電維持電極対１６が配置されており、それらを埋め込む上側誘電体層１４、及び上側誘電体層１４を覆う保護膜１５が順次に形成されている。ここで、前記放電維持電極対１６の一電極は走査電極１２、他の電極は共通電極１３となり、走査電極１２及び共通電極１３は、それぞれ透明電極１２ａ、１３ａ及びバス電極１２ｂ、１３ｂを備える。
【０００５】
一方、下側基板２１の上面には、放電維持電極対１６と交差するように延びたアドレス電極２２、及びそれらを埋め込む下側誘電体層２３が形成されている。下側誘電体層２３上には、隔壁２４が形成されて、複数個の放電セル３０を区画する。前記隔壁２４は、互いに交差する両方向に延びてマトリックスパターンに形成される。下側誘電体層２３上から隔壁２４にわたっては、蛍光体２５が塗布されており、放電セル３０の内部空間は、放電ガスで充填されている。
【０００６】
このようなＰＤＰにおいては、放電維持電極対１６により実行された放電によりプラズマが形成され、形成されたプラズマから放射された真空紫外線により蛍光体２５が励起され、励起された蛍光体２５から可視光線が発散されて画像が具現される。
【０００７】
しかし、従来の３電極面放電構造においては、発散される可視光線が上側基板１１の下側に形成された放電維持電極対１６、上側誘電体層１４、保護膜１５を通過しつつ、約４０％に達する可視光線がそれらの構造物に吸収されて、発光効率が非常に低いという問題がある。これと共に、長時間同一な画像を表示している場合には、放電ガスの荷電粒子が蛍光体２５に衝突して、永久残像が引き起こされるという問題点もある。
【０００８】
一方、前記ＰＤＰは、上側基板１１を備える上部及び下側基板２１を備える下部を接合して封止した後、ＰＤＰ内部の不純ガスを排出するための排気工程及び放電ガスを充填する封入工程を経る。ここで、前記排気工程は、ＰＤＰを加熱した状態で下側基板に備えられた通気孔（図示せず）から、真空ポンプを利用して内部気体を吸入する過程である。ＰＤＰ内部の浄化が十分に行われない場合には、後に充填される放電ガスとパネル内部に残留する不純ガスとが混合されて放電ガスの組成が変化し、これは、表示動作が不安定になる原因となる。図１に示した従来技術によれば、隔壁２４により放電セル３０が密閉される結果、気体の円滑な通気が阻害されて、不純ガスの排気及び放電ガスの充填に長時間がかかり、通気孔から相対的に遠く位置した放電セル３０には、不純物が残留するという問題点がある。特に高精密、高解像度のＰＤＰでは、パネル内部構造が高精細化されるので、前記不純ガスの排気問題は、さらにその解決の必要性が増大する。
【発明の開示】
【発明が解決しようとする課題】
【０００９】
本発明の目的は、前記のような問題点を解決するために、発光効率及び駆動効率が向上し、蛍光体の劣化が防止される改善されたＰＤＰを提供するところにある。
【００１０】
本発明の他の目的は、不純ガスの排気工程及び放電ガスの封入工程が迅速に行われるように、流動抵抗が減少した改善された構造のＰＤＰを提供するところにある。
【課題を解決するための手段】
【００１１】
前記のような目的及びその他の目的を達成するために、本発明のＰＤＰは、透明な上側基板、前記上側基板に対して平行に配置された下側基板、前記上側基板と下側基板との間に配置されて、上側基板と共に複数個の放電セルを限定する上側隔壁、前記放電セル内で放電を起す放電電極、前記上側隔壁と下側基板との間で一列の放電セルに沿って形成されたものであって、放電セルを相互連通させる複数の流動通路を区画する下側隔壁、前記下側隔壁と同一なレベルに塗布された蛍光体、及び前記放電セル内に充填された放電ガスを備える。
【００１２】
本発明において、望ましくは、前記上側隔壁は、互いに交差する二つの方向に沿って延びたマトリックスパターンに形成され、前記下側隔壁は、前記二つの方向のうちいずれか一つの方向に沿って延びたストライプパターンに形成される。
【００１３】
また、本発明において、望ましくは、前記上側隔壁には、上下に互いに離隔された上側放電電極及び下側放電電極が配置されるが、ここで、前記上側放電電極及び下側放電電極は、一方向に配列された放電セルを取り囲みつつ互いに平行に延び、前記上側放電電極及び下側放電電極と交差する他の方向に配列された放電セルにわたっては、アドレス電極が延びる。この際、前記下側隔壁は、前記アドレス電極の延長方向に沿って形成されるか、またはアドレス電極の延長方向と実質的に垂直をなす方向に沿って形成されうる。
【発明の効果】
【００１４】
本発明によるＰＤＰによれば、次のような効果を得ることができる。
【００１５】
第１に、一列の放電セルを相互連通させる流動通路を形成することにより、不純ガスの排気工程及び放電ガスの封入工程を迅速に行うことができるので、作業時間が短縮し、製品の生産収率を向上させることができる。
【００１６】
第２に、不純ガスが流動通路を通じて外部に円滑に排出されるので、不純ガスの残留による放電ガスの組成変化が防止されて、さらに安定的な映像を得ることができる。
【００１７】
第３に、従来の３電極面放電型のＰＤＰに比べて、輝度レベル及び発光効率が向上し、蛍光体の経時劣化度が改善される。
【発明を実施するための最良の形態】
【００１８】
以下、図２ないし図５を参照して、本発明の第１実施形態によるＰＤＰに関して詳細に説明する。図２は、本発明の第１実施形態によるＰＤＰを示す分解斜視図であり、図３は、図２に示したＰＤＰの電極構造を示す斜視図である。また、図４及び図５は、それぞれ図２のIV−IV線及びＶ−Ｖ線の断面図である。
【００１９】
図２に示すように、本実施形態によるＰＤＰは、上側基板１１１、及びそれと対向するように配置された下側基板１２１を備える。上側基板１１１及び下側基板１２１は、通常的にガラスを主成分とする材料で形成される。特に、上側基板１１１が映像表示面となる場合、光透過性にすぐれた透明基材で形成されることが望ましい。
【００２０】
上側基板１１１の下側には、上側隔壁１１４が形成されるが、上側隔壁１１４は、上側基板１１１と共に放電セル１３０を限定して、放電セル１３０間の誤放電を防止する。ここで、放電セル１３０は、一つのピクセルを構成する赤色発光サブピクセル、緑色発光サブピクセル、青色発光サブピクセルのうち一つのサブピクセルを意味する。
【００２１】
前記上側隔壁１１４は、ｘ方向及びｙ方向に延びてマトリックス形状に形成されうる。本発明の上側隔壁１１４は、このようなマトリックス形状に限定されず、ワッフル、デルタのような隔壁構造でも形成されうる。誘電体で形成された上側隔壁１１４は、放電時、上側放電電極１１２及び下側放電電極１１３の直接通電を防止し、壁電荷の蓄積を誘導する。上側隔壁１１４を形成する誘電体としては、ＰｂＯ、Ｂ２Ｏ３、ＳｉＯ２などがある。
【００２２】
上側隔壁１１４の側面は、保護膜１１５により覆われていることが望ましいが、このような保護膜１１５は、放電による荷電粒子が上側隔壁１１４に衝突して損傷されることを防止し、２次電子を多く放出させる。保護膜１１５は、通常的にＭｇＯ膜で形成されうる。
【００２３】
上側隔壁１１４内には、上側放電電極１１２及び下側放電電極１１３が埋め込まれている。上側放電電極１１２及び下側放電電極１１３は、それぞれ上下方向に互いに離隔されて配置されるが、それらの放電電極１１２、１１３により維持放電が実行されて画像が具現される。図３に示すように、上側放電電極１１２及び下側放電電極１１３は、互いに平行に配置され、それぞれ梯形に形成されて、放電セル１３０の４側面を取り囲みつつｘ方向に延びる。前記放電電極１１２、１１３のうち一つの電極は、走査電極として作用し、残りの電極は、共通電極として作用する。走査電極がアドレス電極１２２と隣接して配置されれば、アドレス電圧を低下させることがあるので、本実施形態では、アドレス電極１２２と隣接した下側放電電極１１３が走査電極として作用することが望ましい。
【００２４】
前記上側放電電極１１２及び下側放電電極１１３は、電気伝導特性にすぐれた金属材料、例えばＡｇ、Ｃｕ、Ａｌ等で形成する。これは、電極自体の抵抗による電圧降下を最小化して、駆動効率及び応答速度を向上させ、電圧の印加点から相対的に遠距離に配置された放電セルにも、均一な電圧を印加させるためである。
【００２５】
一方、図２に示すように、下側基板１２１上には、アドレス電極１２２が配置される。アドレス電極１２２は、放電電極１１２、１１３の延長方向（ｘ方向）と交差する方向（ｙ方向）に形成されるが、ストライプパターンに形成されうる。アドレス電極１２２は、上側放電電極１１２と下側放電電極１１３との間の維持放電をさらに容易にするためのアドレス放電を起すためのものであって、さらに具体的には、維持放電が開始される電圧を低める役割を果たす。アドレス放電は、走査電極とアドレス電極１２２との間に起きる放電であって、アドレス放電が終了すれば、走査電極側には、陽イオンが蓄積され、共通電極側には、電子が蓄積され、これにより、走査電極と共通電極との間の維持放電がさらに容易になる。一方、このようなアドレス電極は、本発明の必須的な構成要素ではなく、別途アドレス電極が備えられないことがあるが、この場合、前記上側放電電極１１２及び下側放電電極１１３は、互いに交差する方向に延設されることが望ましい。
【００２６】
前記アドレス電極１２２は、誘電体層１２３に埋め込まれるが、誘電体層１２３は、放電ガスの荷電粒子がアドレス電極１２２に直接衝突して、アドレス電極１２２を損傷するのを防止し、壁電荷を誘導する役割を担う。誘電体層１２３を形成する誘電体としては、ＰｂＯ、Ｂ２Ｏ３、ＳｉＯ２などがある。
【００２７】
前記誘電体層１２３上には、開放型構造の下側隔壁１２４が形成される。図２に示した下側隔壁１２４は、一方向に延びるストライプパターンに形成されるが、さらに具体的には、一列の放電セル１３０に沿って一方向（ｙ方向）に延びる。上側隔壁１１４と下側基板１２１との間の空間は、下側隔壁１２４により複数個の流動通路１４０に区画され、このような流動通路１４０は、一列の放電セル１３０を相互連通させることによって、不純ガスの排気や放電ガスの封入時、流動抵抗を減少させる。すなわち、ＰＤＰが封着された後、真空ポンプを駆動して放電セル１３０の内部に存在する不純ガスを排気するが、図４に示すように、一列の放電セル１３０は、流動通路１４０を通じて相互連通されるので、それら内部に存在する不純ガスは、流動通路１４０で合流されて、下側基板１２１の底面に形成された通気口（図示せず）を通じて外部に排出される。図４で、図面符号Ｐは、不純ガスの流動経路を表す。
【００２８】
一方、排気工程以後には、ガス注入装置（図示せず）を駆動して、Ｎｅ、Ｘｅなど及びそれらの混合気体からなる放電ガスをパネル内部に注入するが、通気口を通じて注入された放電ガスは、一列の放電セル１３０にわたっている流動通路１４０を通じて各放電セル１３０の内部に流入される。したがって、本発明によれば、前述した排気工程や封入工程時、流動抵抗による作業時間の遅延なしに短時間にそれらの工程を完了でき、これにより、ＰＤＰの製造コストを低減できる。
【００２９】
一方、図２に示すように、下側隔壁１２４がアドレス電極１２２方向に延びれば、後述する蛍光体１２５を塗布する過程で、前記下側隔壁１２４が相異なる蛍光体１２５Ｒ、１２５Ｇ、１２５Ｂ間の混色を防止する混色防止壁の機能を備え、これにより、蛍光体１２５の塗布作業がさらに容易に行われ、色純度が維持されて、高鮮明のディスプレイが具現されうる。
【００３０】
前記下側隔壁１２４と同一なレベルには、蛍光体１２５が塗布されるが、これは、下側隔壁１２４と同一な高さに蛍光体１２５が配置されることを意味する。さらに具体的に、誘電体層１２３上で、下側隔壁１２４の側面にわたって蛍光体１２５が塗布されるが、図２に示した実施形態においては、下側隔壁１２４を境界として赤色蛍光体１２５Ｒ、緑色蛍光体１２５Ｇ、青色蛍光体１２５Ｂが交互に塗布される。このような蛍光体１２５は、放電により発生した真空紫外線を受けて、それを可視光線に変換する成分を含むが、赤色蛍光体１２５Ｒとしては、Ｙ（Ｖ，Ｐ）Ｏ４：Ｅｕ、緑色蛍光体１２５Ｇとしては、Ｚｎ２ＳｉＯ４：ＭｎまたはＹＢＯ３：Ｔｂ、青色蛍光体１２５Ｂとしては、ＢＡＭ：Ｅｕなどが適用されうる。放電セル１３０は、発散される可視光線の波長によって、赤色発光サブピクセル、緑色発光サブピクセル、及び青色発光サブピクセルに区分されるが、赤色蛍光体１２５Ｒに沿う一列の放電セル１３０は、赤色発光サブピクセルとなり、緑色蛍光体１２５Ｇに沿う一列の放電セル１３０は、緑色発光サブピクセルとなり、青色蛍光体１２５Ｂに沿う一列の放電セル１３０は、青色発光サブピクセルとなる。一方、図示されていないが、前記放電セル１３０には、Ｎｅ、Ｘｅなど及びそれらの混合気体のような放電ガスが封入される。
【００３１】
図５に示すように、前記のような構成を有する本発明の第１実施形態によるＰＤＰにおいては、アドレス電極１２２と下側放電電極１１３との間にアドレス電圧が印加されることによって、アドレス放電Ａが起き、該アドレス放電Ａの結果により、維持放電Ｓが起きる放電セル１３０が選択される。次いで、前記選択された放電セル１３０の上側放電電極１１２と下側放電電極１１３との間に、交流である維持放電電圧が印加されれば、上側放電電極１１２と下側放電電極１１３との間に維持放電Ｓが起きる。この維持放電Ｓにより励起された放電ガスのエネルギー準位が低くなりつつ、紫外線が放出される。そして、この紫外線が放電セル１３０内に塗布された蛍光体１２５を励起させるが、この励起された蛍光体１２５のエネルギー準位が低くなりつつ、可視光が放出され、この放出された可視光が画像を構成するようになる。
【００３２】
本発明の上側基板１１１には、図１に示した従来のＰＤＰの上側基板１１に存在した放電維持電極対１６、前記放電維持電極対１６を覆う誘電体層１４が存在しない。したがって、蛍光体１２５から発散された可視光線が遮断されないので、可視光線の上方透過率が非常に向上し、従来レベルの輝度で画像を具現すれば、相対的に低電圧に駆動し、したがって発光効率が向上する。
【００３３】
また、本発明のＰＤＰでは、維持放電Ｓが上側隔壁１１４によって限定される部分のみでなされるので、従来のＰＤＰの問題点であった荷電粒子による蛍光体のイオンスパッタリングが防止され、これにより、同一な画像を長時間表示しても、永久残像が生じないという長所がある。
【００３４】
図６及び図７には、本発明の第２実施形態によるＰＤＰが示されているが、図６は、分解斜視図であり、図７は、図６のVII−VII線の断面図である。本実施形態のＰＤＰは、上側基板２１１、及びそれと対向するように配置された下側基板２２１を備え、前記上側基板２１１と下側基板２２１との間には、上側隔壁２１４が形成されて、複数個の放電セル２３０を区画する。前記上側隔壁２１４と下側基板２１１との間には、下側隔壁２２４が形成されるが、下側隔壁２２４は、一方向（ｘ方向）に延びて、一列の放電セル２３０を相互連通させる流動通路２４０を区画する。本実施形態の下側隔壁２２４は、アドレス電極２２２の延長方向（ｙ方向）と垂直な方向（ｘ方向）に延びて、不純ガス及び放電ガスの流動抵抗を減少させつつも、アドレス電極２２２に沿って移動する荷電粒子によるクロストークを防止できる。すなわち、放電に参与する荷電粒子がアドレス電極２２２に沿って隣接した放電セル２３０に流入されれば、走査信号と関係なく放電が実行される誤放電や放電むらが発生する過放電など放電不良が発生する。本実施形態の下側隔壁２２４は、アドレス電極２２２と垂直な方向に延びて、アドレス電極２２２に沿う荷電粒子の移動が基本的に防止される。
【００３５】
その他に、上側放電電極１１２及び下側放電電極１１３を備えた放電電極に関する事項、及び保護膜２１５、蛍光体２２５、誘電体層２２３、アドレス電極２２２に関する事項は、第１実施形態と事実上同一であり、それらを参照すればよい。
【００３６】
一方、本明細書に添付された図面では、上側放電電極及び下側放電電極が一方向に配列された放電セルを取り囲みつつ延びる形態で示されているが、本発明は、このような放電電極構造に限定されず、他の形態の電極構造、例えば、上側放電電極及び下側放電電極が一方向に配列された放電セルの側部を横切ってストライプ形態で延びる場合でも、事実上同一に適用され、この際、上側放電電極及び下側放電電極が互いに垂直な方向に配列された放電セルの側部を横切って延びれば、別途のアドレス電極を備える必要がない。
【００３７】
本発明は図面に示した実施形態を参考にして説明したが、これは例示的なものに過ぎず、当業者であれば、これから多様な変形及び均等な他の実施形態が可能であるという点を理解できるであろう。したがって、本発明の真の技術的な保護範囲は、特許請求範囲の技術的思想により決まらねばならない。
【産業上の利用可能性】
【００３８】
本発明は、ＰＤＰ関連の技術分野に適用可能である。
【図面の簡単な説明】
【００３９】
【図１】従来のＰＤＰの一例を示す分解斜視図である。
【図２】本発明の第１実施形態によるＰＤＰを示す分解斜視図である。
【図３】図２に示したＰＤＰの電極構造を示す斜視図である。
【図４】図２のIV−IV線の断面図である。
【図５】図２のＶ−Ｖ線の断面図である。
【図６】本発明の第２実施形態によるＰＤＰを示す分解斜視図である。
【図７】図６のVII−VII線の断面図である。
【符号の説明】
【００４０】
１１１    上側基板
１１２    上側放電電極
１１３    下側放電電極
１１４    上側隔壁
１１５    保護膜
１２１    下側基板
１２２    アドレス電極
１２３    誘電体層
１２４    下側隔壁
１２５    蛍光体
１２５Ｒ    赤色蛍光体
１２５Ｇ    緑色蛍光体
１２５Ｂ    青色蛍光体
１３０    放電セル
１４０    流動通路
【図１】
2006134874.tif 000003
【図２】
2006134874.tif 000004
【図３】
2006134874.tif 000005
【図４】
2006134874.tif 000006
【図５】
2006134874.tif 000007
【図６】
2006134874.tif 000008
【図７】
2006134874.tif 000009